(57)【特許請求の範囲】
【請求項１】
アドレスを有した全ての調光器に対して個々の調光器ごとに調光制御するための調光制御信号を出力することが可能な調光操作卓と；
個々にアドレスが設定可能でかつ個々に電源入力機能と調光出力機能を備えた複数個の調光器からなり、前記調光操作卓からの調光制御信号によって各々の調光器に入力される電源を個々に全導通或いは調光制御して出力することが可能な調光器盤と；
前記調光器盤の各調光器からの全導通或いは調光された出力が供給される電源コンセントと；
前記調光操作卓から調光制御信号が供給される信号コンセントと；
を具備する照明システムにおいて、
前記電源コンセントに直接接続した照明器具は、前記調光操作卓の操作に基づいて前記調光器盤の各調光器を全導通或いは調光制御した出力が供給されるとともに、
前記電源コンセントには、任意に複数台の照明器具を配設することができる可搬型調光器が接続可能であり、該可搬型調光器が接続された場合には、前記電源コンセントの電源出力を全導通或いは調光状態の全運転とするとともに、前記信号コンセントに前記可搬型調光器を接続することで前記調光操作卓から出力される調光制御信号によって該可搬型調光器に配設された照明器具を調光制御することができることを特徴とする照明システム。
【請求項２】
前記可搬型調光器は、調光制御信号ラインを入力接続する入力端子と；
前記入力端子に入力された調光制御信号をそのまま出力するスルー端子と；
各々の調光器の一面に設けられて、各調光器ごとに手元調光操作を可能とする操作手段と；を備え、
複数の可搬型調光器を、前記入力端子と前記スルー端子を用いて同じ調光制御信号ラインに直列的に接続することが可能である一方、
可搬型調光器を構成する各調光器自体からの手元調光操作が可能であると共に、前記調光操作卓による遠方からの調光操作が可能であることを特徴とする請求項１記載の照明システム。
【請求項３】
アドレスを有した全ての調光器に対して個々の調光器ごとに調光制御するための調光制御信号を出力することが可能な調光操作卓と；
個々にアドレスが設定可能でかつ個々に電源入力機能と調光出力機能を備えた複数個の調光器からなり，前記調光操作卓からの調光制御信号によって各々の調光器に入力される電源を個々に全導通或いは調光制御して出力することが可能な調光器盤と；
前記調光器盤の各調光器からの全導通或いは調光された出力が供給される電源コンセントと；
前記調光操作卓から出力された調光制御信号を舞台或いはスタジオ内に信号伝送するためのケーブルであって、舞台或いはスタジオ内で前記調光制御信号を電波状態で放出することが可能な漏洩ケーブルと；を具備し、
前記電源コンセントに直接接続した照明器具は、前記調光操作卓の操作に基づいて前記調光器盤の各調光器を全導通或いは調光制御した出力が供給されるとともに、
前記電源コンセントには、調光制御信号受信用のアンテナを備え任意に複数台の照明器具を配設することができる移動可能な可搬型調光器が接続可能であり、該可搬型調光器が接続された場合には、前記電源コンセントの電源出力を全導通或いは調光状態の全運転とするとともに、前記調光操作卓の操作によって設定した前記可搬型調光器の各調光器への調光制御信号を前記漏洩ケーブルで送信し、前記アンテナで受信することによって該可搬型調光器に配設された照明器具を調光制御することができることを特徴とする照明システム。
【発明の詳細な説明】
【０００１】
【発明の属する技術分野】
本発明は、例えば、舞台やスタジオにおける照明負荷の明るさ制御するための調光装置に関する。
【０００２】
【従来の技術】
従来、舞台照明では、時間と共に変化する情景や場面に応じて、照明も時間的に連続して変化させることが必要となる。また、テレビなどのスタジオ照明では、テレビカメラのような映像系を通して画像が再生されるため、映像系を考慮に入れた明るさや演色性に配慮する必要がある。テレビスタジオにあっては、各放送番組ごとに照明器具（ランプと照明器具本体からなる）の配置、姿勢の設定、各ランプの調光設定を行い、番組の進行につれて各ランプの明るさを調光制御する必要がある。
【０００３】
このように舞台やスタジオでは、複数の照明器具の明るさを調整するための調光装置が必要となる。
【０００４】
従来は調光器本体が騒音ノイズを出していたため、舞台，スタジオ外の専用室に集中して配置し、使用する照明器具のある固定場所に対して専用室から負荷線を伸ばしていた（従来技術１）。
【０００５】
さらに、スタジオ内で移動可能な調光器を使用する場合には、直接電源に接続した専用コンセントを用意し、これから電源を得、調光制御信号については調光操作卓より信号ケーブルを使用してスタジオ内のコネクタに導き、該コネクタに接続することにより得るようにしていた（従来技術２）。また、調光制御信号については、スタジオや舞台に数箇所アンテナを配置し、該アンテナに調光操作卓からの信号を導いて電波として放射する構成とし、移動可能な調光器には受信アンテナを配設して調光制御信号を無線で受信できるようにしたものがあった（従来技術３）。
【０００６】
【発明が解決しようとする課題】
ところで、従来技術１では、専用室が必要であると共に照明器具ごとに負荷線が必要となってコスト高であり、さらに調光器数を増やすことも容易ではないという問題があった。また、演出によって調光が必要される場所が変わるため、全く使わない調光器があったり、逆に調光器が足りない場所が生じても増設できにくいという欠点があった。
【０００７】
また、従来技術２では、直接電源に接続した専用コンセントを用意するため、配線が多くなり、また、このコンセントを調光出力として使用することができなかった。
【０００８】
さらに、従来技術３では、舞台，スタジオ等のように吊り物等が移動する場所においては、スタジオ内にアンテナを数箇所配置すると、吊り物等が障害物となり、無線伝送の妨げとなることがあった。
【０００９】
そこで、本発明は、上記の問題に鑑み、少ない数の可搬型調光器を運用して、あらゆる演出に対応することができ、しかも調光手段を容易に増設できる照明システムを提供することを目的とするものである。また、本発明の他の目的は、障害物等の影響を受けにくく、確実なワイヤレス伝送を行うことができる照明システムを提供することである。
【００１０】
【課題を解決するための手段】
請求項１記載の発明による照明システムは、アドレスを有した全ての調光器に対して個々の調光器ごとに調光制御するための調光制御信号を出力することが可能な調光操作卓と；個々にアドレスが設定可能でかつ個々に電源入力機能と調光出力機能を備えた複数個の調光器からなり、前記調光操作卓からの調光制御信号によって各々の調光器に入力される電源を個々に全導通或いは調光制御して出力することが可能な調光器盤と；前記調光器盤の各調光器からの全導通或いは調光された出力が供給される電源コンセントと；前記調光操作卓から調光制御信号が供給される信号コンセントと；を具備する照明システムにおいて、前記電源コンセントに直接接続した照明器具は、前記調光操作卓の操作に基づいて前記調光器盤の各調光器を全導通或いは調光制御した出力が供給されるとともに、前記電源コンセントには、任意に複数台の照明器具を配設することができる可搬型調光器が接続可能であり、該可搬型調光器が接続された場合には、前記電源コンセントの電源出力を全導通或いは調光状態の全運転とすることが可能であるとともに、前記信号コンセントに前記可搬型調光器を接続することで前記調光操作卓から出力される調光制御信号によって該可搬型調光器に配設された照明器具を調光制御することができることを特徴とする。
【００１１】
以上の各説明で、アドレスとは各調光器のＩＤ（識別番号）に相当するものであり、調光操作卓では調光器盤の各調光器及び電源コンセントに接続される可搬型調光器についてそれらのアドレスと調光の有無及び調光する場合はその調光量を指定することができるようになっている。調光器盤の各調光器に対応して電源コンセントと信号コンセントが１つずつ配設されることになるが、電源コンセントと信号コンセントとを一対として１つのコンセントボックスとして構成する方が好ましい。
【００１４】
以上の説明で、可搬型調光器としては、トランジスタ等のスイッチング素子を使用した低雑音設計の調光器を使用することが好ましい。
【００１６】
請求項２記載の発明は、請求項１記載の照明システムにおける前記可搬型調光器は、調光制御信号ラインを入力接続する入力端子と；前記入力端子に入力された調光制御信号をそのまま出力するスルー端子と；各々の調光器の一面に設けられて、各調光器ごとに手元調光操作を可能とする操作手段と；を備え、複数の可搬型調光器を、前記入力端子と前記スルー端子を用いて同じ調光制御信号ラインに直列的に接続することが可能である一方、前記可搬型調光器を構成する各調光器自体からの手元調光操作が可能であると共に、調光操作卓による遠方からの調光操作が可能であることを特徴とする。
【００１７】
請求項３記載の発明による照明システムは、アドレスを有した全ての調光器に対して個々の調光器ごとに調光制御するための調光制御信号を出力することが可能な調光操作卓と；個々にアドレスが設定可能でかつ個々に電源入力機能と調光出力機能を備えた複数個の調光器からなり、前記調光操作卓からの調光制御信号によって各々の調光器に入力される電源を個々に全導通或いは調光制御して出力することが可能な調光器盤と；前記調光器盤の各調光器からの全導通或いは調光された出力が供給される電源コンセントと；前記調光操作卓から出力された調光制御信号を舞台或いはスタジオ内に信号伝送するためのケーブルであって、舞台或いはスタジオ内で前記調光制御信号を電波状態で放出することが可能な漏洩ケーブルと；を具備し、前記電源コンセントに直接接続した照明器具は、前記調光操作卓の操作に基づいて前記調光器盤の各調光器を全導通或いは調光制御した出力が供給されるとともに、前記電源コンセントには、調光制御信号受信用のアンテナを備え任意に複数台の照明器具を配設することができる移動可能な可搬型調光器が接続可能であり、該可搬型調光器が接続された場合には、前記電源コンセントの電源出力を全導通或いは調光状態の全運転とするとともに、前記調光操作卓の操作によって設定した前記可搬型調光器の各調光器への調光制御信号を前記漏洩ケーブルで送信し、前記アンテナで受信することによって該可搬型調光器に配設された照明器具を調光制御することができることを特徴とする。
【００２０】
請求項１記載の発明においては、調光器盤によって照明器具を調光制御することができるシステムにおいて、任意に調光制御できる照明器具を増設することができる特徴がある。すなわち、調光器盤の調光器による調光制御と電線コンセント及び信号コンセントの組合わせに着目したものである。電源コンセントに直接接続する照明器具は、調光器盤の調光器によって調光制御が可能であることに加え、可搬型調光器を電源コンセント及び信号コンセントに接続するとともに、調光器盤の調光器の調光制御を敢えて行なわせないようにすることによって調光制御可能である可搬型調光器に配設された照明器具を調光制御可能としたものである。調光制御できる照明器具の数を容易に増加させることができる。
【００２５】
請求項２記載の発明においては、複数個の可搬型調光器を、前記入力端子と前記スルー端子を用いて同じ調光制御信号ラインに直列的に接続することにより、多数の照明器具をそれぞれ調光制御する調光器の数を大幅に増やすことが可能である一方、可搬型調光器を構成する各調光器自体からの手元調光操作も可能となる。
【００２６】
請求項３記載の発明においては、調光制御信号の伝送については、舞台或いはスタジオ内に漏洩ケーブルを配設し、調光制御信号を電波状態で放出することが可能なようにしたので、スタジオ内で吊り物等の障害物の影響を受けにくく、確実なワイヤレス伝送を行うことができる調光システムを実現することことができる。信号コンセントが不要となる分、スタジオ内への信号ケーブルの引き込みが容易となり、また可搬型調光器のセッティング時間が短縮できる。電源コンセントに直接接続する照明器具は、調光器盤の調光器によって調光制御が可能であることに加え、可搬型調光器を電源コンセントに接続するとともに、調光器盤の調光器の調光制御を敢えて行なわせないようにすることによって調光制御可能である可搬型調光器に配設された照明器具を、アンテナで受信した調光制御信号によって遠隔から調光制御可能としたものである。調光制御できる照明器具の数を容易に増加させることができる。
【００２９】
【発明の実施の形態】
発明の実施の形態について図面を参照して説明する。
図１は本発明の一実施の形態の照明システムを示す図である。
【００３０】
図１において、操作室内には、交流電源を供給するための給電手段１１と、調光器盤１２と、操作手段である調光操作卓１２とが配設されている。また、舞台或いはスタジオ内には、電源コンセント２１，２３，２５，２７，…と、信号コンセント２２，２４，２６，２８，…とが配設され、これらの電源コンセント及び信号コンセントに接続して調光動作を行える可搬型調光器３０、及び調光される照明負荷としての照明器具４１，４２，４３が示されている。
【００３１】
調光操作卓１３は、アドレスを有した後段の全ての調光器それぞれに対して個々に調光制御を行うための調光制御信号を出力することが可能である。従って、調光制御信号は、どの調光器かを示すアドレス値と各アドレスに対応した調光度合い（調光制御量）を示す数値とを含む制御信号であり、信号ライン１３１を通しさらに伝送分岐ボックス１４を介して調光器盤１２の各調光器１２ａ〜１２ｔに供給可能とされる一方前記信号コンセント２２，２４，２６，２８，……に供給可能とされている。
【００３２】
調光器盤１２は、個々にアドレス（識別番号）が設定可能でかつ個々に電源入力機能と調光出力機能を備えた少なくとも１つ（図では２０個）の調光器１２ａ，１２ｂ，……，１２ｔからなり、各調光器１２ａ〜１２ｔはそれぞれ、電源入力端子と、入力された電源をそのまま（非調光状態即ち全導通状態）或いは調光出力として出力する調光出力端子と、調光制御信号の入力端子INと、調光制御信号のスルー端子THRUを備えている。各調光器１２ａ〜１２ｔは各調光器に対して給電手段１１からの給電ライン１１１，１１２，１１３，…を通して入力される各々の電源を、調光操作卓１３からの調光制御信号によって、個々に調光制御して（或いは調光せずにそのまま）出力することが可能である。なお、給電手段１１は例えば主幹盤（又は分岐盤）で構成され、給電ライン１１１，１１２，１１３，…は実際には３相４線となっている。なお、調光操作卓１３は、調光器盤１２の各調光器に対しては全く調光制御を行わないこと（非調光状態）することにより給電手段１１からの電源をそのまま電源コンセント２１，２３，２５，２７に供給することも可能であるし、或いは調光制御を行う状態とし各調光器の出力を全運転（FULL）とすることにより給電手段１１からの電源をほぼそのまま電源コンセント２１，２３，２５，２７に供給することも可能である。
【００３３】
図１では、調光器盤１２を構成する調光器として、２０個の調光器１２ａ〜１２ｔを示しているが、説明を簡単にするため、以下の説明では、各調光器の出力ラインとして調光器１２ａ，１２ｂ，１２ｃ，１２ｄの出力ライン１２１，１２２，１２３，１２４についてのみ説明する。
【００３４】
前記調光器盤１２の各調光器１２ａ，１２ｂ，１２ｃ，１２ｄの出力ライン１２１，１２２，１２３，１２４に対応して、舞台或いはスタジオ内には電源コンセント２１，２３，２５，２７が配設され、各調光器から調光されない出力（直電源）或いは調光された電源出力が供給されるようになっている。
【００３５】
また、調光操作卓１３から出力された調光制御信号は、信号ライン１３１が前記調光器盤１２の調光器１２ａの入力端子INに入りそしてスルー端子THRUから出力した後さらに隣の調光器１２ｂの入力端子INに入りそしてそのスルー端子THRUから出力する……といったように、信号ライン１３１が各調光器の入力端子INに信号入力を与える一方全ての調光器をスルーするように配線され、さらに舞台或いはスタジオ内に配設した複数の信号コンセント２２，２４，２６，２８（実際には調光器盤１２の各調光器１２ａ〜１２ｔに対応した数の信号コンセントが配設可能であるが図では４つのみ示してある）を中継（入力及びスルー）するようにしては配線されている。
【００３６】
前記の電源コンセントと信号コンセントの組（２１と２２、２３と２４、２５と２６、２７と２８）はそれぞれ、コンセントボックスとして、舞台或いはスタジオ内に分散配置することが好ましい。このように舞台或いはスタジオ内に、電源コンセント及び信号コンセントを分散配置することにより、次に述べる移動可能な可搬型調光器３０を、演出に応じて適宜の場所に移動配置しても、すぐに可搬型調光器３０を電源ライン及び信号ラインに接続でき、最適な照明効果を得ることができる。
【００３７】
可搬型調光器３０は、個々にアドレスが設定可能な複数（図では３つ）の調光器３１，３２，３３からなり、１つの電源入力プラグ３４と１つの信号入力プラグ３５を有した移動可能な調光器であって、１つの電源入力プラグ３４から各々の調光器３１，３２，３３に電源入力でき、各々の調光器３１，３２，３３に入力される電源を、１つの信号入力プラグ３５からの調光制御信号によって個々に調光制御して出力することが可能である。
【００３８】
例えば、電源コンセント２１，２３，２５，２７にはそれぞれ最大６０Ａ（アンペア）の電流を供給可能であるすると、電源コンセント２１に可搬型調光器３０の電源入力プラグ３４を接続した場合、電源入力プラグ３４から個々の調光器３１，３２，３３にそれぞれ供給可能な電流は最大２０Ａとなる。従って、可搬型調光器３０を使用して駆動可能な照明器具は、２０Ａ以下の小型の照明器具である。２０Ａ〜６０Ａの規格範囲の大型の照明器具を接続したい場合は、電源コンセント２１，２３，２５，２７のいずれか（例えばコンセント２１）に直接に大型の照明器具を接続し、調光器盤１２の前記電源コンセント２１に対応した調光器１２ａを、調光操作卓１３にて調光制御すれば、大型の照明器具を調光することが可能である。
【００３９】
また、可搬型調光器３０に小型の複数の照明器具４１，４２，４３を接続して、舞台或いはスタジオ内の適宜の場所でこれらの照明器具４１，４２，４３を使用したい場合には、前記電源コンセント２１，２３，２５，２７のいずれか（例えば電源コンセント２７）に可搬型調光器３０の電源入力プラグ３４を接続しかつ前記信号コンセント２８に対して可搬型調光器３０の信号入力プラグ３５を接続し、前記調光操作卓１３を操作して調光器盤１２の調光器１２ｄ（電源コンセント２７に対応している）の出力を非調光状態（全導通状態）或いは調光状態の全運転（FULL）に制御し可搬型調光器３０への電源入力とすると共に前記調光操作卓１３の操作（アドレス指定及び調光量指定）によって可搬型調光器３０を構成する各調光器３１，３２，３３の出力を制御し、各々の照明器具４１，４２，４３を調光することができる。なお、調光器盤１２の例えば調光器１２ｄの出力を調光状態の全運転（FULL）とした時は、その調光出力波形は全く調光しない場合の電源波形とほぼ同じ（少し歪む程度）であるため、これを可搬型調光器の電源入力として使用することができる。
【００４０】
図２は上記可搬型調光器３０の構成例（３つの調光器回路を含む例）を示す図である。図２において、（ａ）は正面図、（ｂ）は背面図、（ｃ）は 側面図、（ｄ）は上面図を示している。
【００４１】
上記可搬型調光器３０としては、トランジスタ等のスイッチング素子を使用して、本体の騒音ノイズをなくしたものが好ましく、このような低ノイズ設計の可搬型調光器を使用することによって、舞台やスタジオ内に持ち込んで使用しても悪影響を与えることがない。
【００４２】
図２（ａ）に示すように、各調光器３１，３２，３３の正面側には、各調光器ごとにアドレス（識別番号）を設定可能とするアドレス設定手段３１ａ，３２ａ，３３ａと、卓・手元操作を切り替えるための手元切替え手段３１ｂ，３２ｂ，３３ｂと、手元操作に切り替えた場合の手元操作を行うための手元操作手段３１ｃ，３２ｃ，３３ｃが配設されており、調光操作卓１３から遠方調光操作が可能であると共に、各調光器自体からの手元調光操作が可能となるようにしてなっている。手元操作によって、仕込み作業、調整時間の短縮が可能となる。さらに、図２（ｂ）に示すように、背面側には、調光制御信号の中継コネクタとしての入力端子IN及びスルー端子THRUと、各調光器３１，３２，３３からの調光出力を出力するための調光出力コネクタ３１ｄ，３２ｄ，３３ｄが配設されている。なお、可搬型調光器３０では、図１に示すように信号入力プラグ３５から入った調光制御信号は、信号ライン３５１を通って図２（ｂ）に示す入力端子INに入ると、調光器３１，３２間及び調光器３２，３３間はそれぞれ信号ライン３５２，３５３にて直列的に接続（入力及びスルー）していて各調光器３１，３２，３３に信号伝達されるようになっている。図２（ｂ）に示す入力端子INは、各調光器に調光制御信号を取り入れるための端子であり、スルー端子THRUは、別の可搬型調光器との間で調光制御信号ラインを接続していくときに中継して出力するための端子である。
【００４３】
以上の図１の構成によれば、調光器盤１２の各調光器１２ａ〜１２ｔを、調光操作卓１３によって全く調光制御しなければ、電源コンセント２１，２３，…には電源入力がそのまま出力するので、電源コンセント２１，２３，…を直電源として使用でき、また調光器盤１２の各調光器１２ａ〜１２ｔを、調光操作卓１３によって調光制御すれば、電源コンセント２１，２３，…には電源入力を調光制御したものを出力することができる。つまり、調光操作卓１３の操作により、電源コンセント２１，２３，…を、直電源コネクタとしても使用でき、また調光出力コネクタとしても使用できる。電源コンセント２１，２３，…を直電源として使用すれば、この直電源コンセントに複数の調光器を搭載した可搬型調光器３０の電源入力プラグ３４を接続することにより、調光器数を必要な場所で容易に増設することが可能となる。
【００４４】
調光操作卓１３を操作して前記調光器盤１２の各調光器１２ａ〜１２ｔの出力を非調光状態（全導通状態）或いは調光状態の全運転（FULL）に制御し前記可搬型調光器３０への電源入力とし、さらに前記調光操作卓１３の操作によって前記可搬型調光器３０を構成する各調光器３１〜３３の出力を制御し、各々の照明器具４１〜４３を自在に調光制御することができる。
【００４５】
調光器盤１２の各々の調光器１２ａ〜１２ｔに対応して、前記電源コンセント２１，２３，…及び前記信号コンセント２２，２４，…の組をコンセントボックスとして、複数組、舞台或いはスタジオ内に分散して配置するようにしたので、少ない数の可搬型調光器３０を必要な場所に移動して、あらゆる演出に対応することができ、コストの低減化を図ることができると共に、可搬型調光器３０を容易に増設して、非常に多くの照明器具を調光制御することができる。
【００４６】
可搬型調光器３０は個別に調光制御可能な複数の調光器３１〜３３を内蔵しているので、可搬型調光器３０の１つの電源入力プラグ３４を例えば電源コンセント２７に接続し信号入力プラグ３５を例えば信号コンセント２８に接続するだけで、使用できる調光器数を容易に増やすことができる。これにより、調光制御される照明器具の数を増やすことができるので、非常に多種類の演出に対応した照明効果を出すことができる。
【００４７】
次に、図１の照明システムにおける可搬型調光器及び照明器具の各種の接続方法を、図３〜図７を参照して説明する。
【００４８】
図３は、調光操作卓１３を操作して前記調光器盤１２の各調光器１２ａ〜１２ｔの出力を非調光状態（全導通状態）或いは調光状態の全運転（FULL）に制御し各電源コンセント２７，２５，２３への電源入力とした上で、各電源コンセント２７，２５，２３にそれぞれ可搬型調光器３０，５０，６０の電源入力プラグ３４，５４，６４を接続しかつ各信号コンセント２８，２６，２４に可搬型調光器３０，５０，６０の信号入力プラグ３５，５５，６５を接続するシステムを構成した例である。
【００４９】
可搬型調光器５０，６０は、可搬型調光器３０と同様な構成となっており、それぞれ複数（図では３つ）の調光器５１〜５３、調光器６１〜６３を内蔵している。調光器５１〜５３、調光器６１〜６３の各々の調光出力コネクタに対しては、照明器具４４〜４６，照明器具４７〜４９が照明負荷として接続した構成となっている。そして、前記調光操作卓１３の操作（アドレス指定及び調光量指定）によって前記可搬型調光器３０，５０，６０を構成する各調光器３１〜３３、５１〜５３、６１〜６３の出力を調光器ごとに制御し、各々の照明器具４１〜４３、４４〜４６、４７〜４９を自在に調光制御することができる。
【００５０】
図４は、調光操作卓１３を操作して前記調光器盤１２の各調光器１２ａ〜１２ｔの出力を非調光状態（全導通状態）或いは調光状態の全運転（FULL）に制御し各電源コンセント２７，２５，２３への電源入力とした上で、各電源コンセント２７，２５，２３にそれぞれ可搬型調光器３０，５０，６０の電源入力プラグ３４，５４，６４を接続するが、信号コンセント２８，２６，２４については１つの信号コンセント２８のみを使用する構成としたものである。このときは、可搬型調光器３０，５０，６０の信号ラインに関しては、図２に示した入力端子INとスルー端子THRUを用いて相互に接続した構成とすることにより、可搬型調光器３０の信号入力プラグ３５のみを信号コンセント２８に接続するだけでよい。
【００５１】
この場合も、図３の場合と同様に、前記調光操作卓１３の操作（アドレス指定及び調光量指定）によって前記可搬型調光器３０，５０，６０を構成する各調光器３１〜３３、５１〜５３、６１〜６３の出力を調光器ごとに制御し、各々の照明器具４１〜４３、４４〜４６、４７〜４９を自在に調光制御することができる。
【００５２】
図５は、図３の構成と図４の構成を組み合わせた構成を示している。調光操作卓１３を操作して前記調光器盤１２の各調光器１２ａ〜１２ｔの出力を非調光状態（全導通状態）或いは調光状態の全運転（FULL）に制御し各電源コンセント２７，２５，２３への電源入力とした上で、各電源コンセント２７，２５，２３にそれぞれ可搬型調光器３０，５０，６０の電源入力プラグ３４，５４，６４を接続するが、信号コンセント２８，２６，２４については信号コンセント２８には可搬型調光器３０の電源入力プラグ３５を接続し、信号コンセント２４に可搬型調光器６０の信号入力プラグ６５を接続する構成としたものである。このときは、可搬型調光器３０，５０の信号ラインに関しては、図２に示した入力端子INとスルー端子THRUを用いて相互に接続した構成とし、可搬型調光器６０の信号ラインに関しては、信号入力プラグ６５を信号コンセント２４に接続して使用するようにしたものである。
【００５３】
この場合も、図３又は図４の場合と同様に、前記調光操作卓１３の操作（アドレス指定及び調光量指定）によって前記可搬型調光器３０，５０，６０を構成する各調光器３１〜３３、５１〜５３、６１〜６３の出力を調光器ごとに制御し、各々の照明器具４１〜４３、４４〜４６、４７〜４９を自在に調光制御することができる。
【００５４】
図６は、調光器盤１２の各調光器１２ａ〜１２ｄを、調光操作卓１３によって調光制御（或いは全く調光制御せず）し、電源コンセント２１，２３，…に電源出力として給電手段１１からの電源を調光制御したもの（或いは全く調光制御しないもの）を出力する構成とし、電源コンセント２７，２５，２３，２１にはそれぞれ大型の照明器具器具（例えば６０Ａのもの）７１，７２，７３，７４をそれぞれの電源入力プラグ７１ａ，７２ａ，７３ａ，７４ａを用いて接続するものである。
【００５５】
この場合は、前記調光操作卓１３の操作（アドレス指定及び調光量指定）によって前記調光器盤１２を構成する各調光器１２ａ〜１２ｄの出力を調光器ごとに制御し、各々の照明器具７１〜７４を自在に調光制御することができる。しかしながら、図３〜図５で述べた可搬型調光器を使う場合に比して、舞台或いはスタジオ内に配設した電源コンセントの数だけの照明器具しか調光することができないと共に可搬型調光器を使用する場合に比べて手元調光操作ができない点で不便であるが、大出力の照明器具を点灯制御する場合には好適である。
【００５６】
図７は、図３の構成と図６の構成とを組み合わせた構成を示している。調光操作卓１３を操作して前記調光器盤１２の例えば調光器１２ｄの出力を非調光状態（全導通状態）或いは調光状態の全運転（FULL）に制御し電源コンセント２７への電源入力とした上で、電源コンセント２７に可搬型調光器３０の電源入力プラグ３４を接続しかつ信号コンセント２８に可搬型調光器３０の信号入力プラグ３５を接続する一方、調光器盤１２の各調光器１２ｃ，２ｂを、調光操作卓１３によって調光制御し（或いは全く調光制御せず）、電源コンセント２５，２３に電源出力として調光制御したもの（或いは全く調光制御しないもの）を出力する構成とし、電源コンセント２５，２３にはそれぞれ大型の照明器具器具（例えば６０Ａのもの）７１，７２をそれぞれの電源入力プラグ７１ａ，７２ａを用いて接続するものである。
【００５７】
この場合は、可搬型調光器３０は調光器３１〜３３を内蔵している。調光器４１〜４３の調光出力コネクタに対しては、照明器具４１〜４３が照明負荷として接続した構成となっている。そして、前記調光操作卓１３の操作（アドレス指定及び調光量指定）によって前記可搬型調光器３０を構成する調光器３１〜３３の出力を調光器ごとに制御し、各々の照明器具４１〜４３を自在に調光制御することができる。
【００５８】
一方、前記調光操作卓１３の操作（アドレス指定及び調光量指定）によって前記調光器盤１２を構成する各調光器１２ｃ，１２ｂの出力を調光器ごとに制御し、各々の大型の照明器具７１，７２を自在に調光制御することができる。
【００５９】
本構成の場合は、２０Ａ程度の小型の照明器具４１〜４３と、６０Ａ程度の大型の照明器具７１，７２とを組み合わせた調光照明が可能となる。
【００６０】
図８は、本発明の照明システムを用いた大ホールにおける、調光制御信号の信号ラインの系統図の一例を示すものである。舞台下に当たる地下１，２階から、舞台及び客席のある１階、客席が主である２階、技術ギャラリーのある３階、客席の上の天井側にある簀の子、舞台の上の照明バトンにある簀の子に至るまで、各階の複数箇所及び各簀の子の複数箇所に相当した所に調光制御信号ライン用の中継基板Ｒを配し、これらの中継基板Ｒに信号コンセントＣＯＮを接続することにより、信号ライン系統を構成している。
【００６１】
図９は本発明の他の実施の形態の照明システムを示す図である。
図９において、図１の実施の形態と異なる点は、舞台或いはスタジオ内に導入される調光制御信号用の信号ラインとして、漏洩ケーブル１５０を用いたことである。漏洩ケーブル１５０は、舞台或いはスタジオ内程度の広さの空間内において調光制御信号を受信し得る程度の電波状態で放出（漏洩）することが可能なケーブルである。調光操作卓１３からの調光制御信号は信号ライン１３１を通しさらに伝送分岐ボックス１４を介して調光器盤１２の各調光器１２ａ〜１２ｔに供給可能とされる一方操作室内の図示しない変調器にて比較的高い特定周波数を用いて電波放出可能な状態とされ、舞台或いはスタジオ内に這わせた漏洩ケーブル１５０に送出可能とされている。このような構成に伴い、図９では、図１における信号コンセント２２，２４，２６，……は不要となり、使用すべき可搬型調光器としては、電波状態としての調光制御信号を受信可能な無線受信回路を備えた可搬型調光器８０，９０が用いられる。
【００６２】
可搬型調光器８０は、個々にアドレスが設定可能な複数の調光器８１，８２，８３からなり、１つの電源入力プラグ８４と調光制御信号受信用のアンテナ８５を有した移動可能な可搬型調光器であって、１つの電源入力プラグ８４から各々の調光器８１，８２，８３に電源入力でき、アンテナ８５で電波受信した信号から受信回路にて調光制御信号を抽出（復調）することによって各々の調光器８１，８２，８３に入力される電源を個々に調光制御して各々の調光器８１，８２，８３に接続された照明器具４１，４２，４３に出力することが可能な可搬型調光器である。可搬型調光器９０についても、可搬型調光器８０と同様に、３つの調光器９１，９２，９３からなる同様の構成となっている。
【００６３】
以上の構成では、電源コンセント２７，２５，２３，２１のうちの例えばコンセント２７，２３にそれぞれ可搬型調光器８０，９０の各電源入力プラグ８４，９４を接続し、前記調光操作卓１３を操作して調光器盤１２の各調光器のうちの少なくとも調光器１２ｄ，１２ｂの出力を非調光状態（全導通状態）或いは調光状態の全運転（FULL）に制御して可搬型調光器８０，９０の電源入力とした上で、前記調光操作卓１３の操作によって設定した可搬型調光器８０，９０の各調光器８１〜８３，９１〜９３への調光制御信号を漏洩ケーブル１５０で送信し、アンテナ８５，９５で受信することによって可搬型調光器８０，９０の各調光器８１〜８３，９１〜９３の出力を制御し、各々の照明器具４１〜４３，４４〜４６を調光することができる。
【００６４】
図９の構成によれば、舞台或いはスタジオ内で吊り物等の障害物の影響を受けにくく、確実なワイヤレス伝送を行うことができる。また、図１〜図７の如く信号ラインをインIN，スルーTHRU，インIN，スルーTHRU，……というように中継する場合では配線が煩雑となり接続的に不具合（不連続となる）を生じる虞れがあるが、図９によれば、ワイヤレス通信で行うため、信号ラインの接続に伴う不具合は生じない。
【００６５】
なお、図９においても、無線受信機能を備えた可搬型調光器８０，９０を使用することなく、図６に示した場合と同様に、調光器盤１２の各調光器１２ａ〜１２ｄを、調光操作卓１３の操作（アドレス指定及び調光量指定）によって調光制御し、電源コンセント２１，２３，…に電源出力として調光制御したものを出力する構成とし、電源コンセント２７，２５，２３，２１にはそれぞれ大型の照明器具器具（例えば６０Ａのもの）接続し、各々の大型の照明器具を自在に調光制御することもできる。
【００６６】
【発明の効果】
請求項１記載の発明によれば、調光器盤によって照明器具を調光制御することができるシステムにおいて、任意に調光制御できる照明器具を増設することができる特徴がある。すなわち、調光器盤の調光器による調光制御と電線コンセント及び信号コンセントの組合わせに着目したものである。電源コンセントに直接接続する照明器具は、調光器盤の調光器によって調光制御が可能であることに加え、可搬型調光器を電源コンセント及び信号コンセントに接続するとともに、調光器盤の調光器の調光制御を敢えて行なわせないようにすることによって調光制御可能である可搬型調光器に配設された照明器具を調光制御可能としたものである。調光制御できる照明器具の数を容易に増加させることができる。
【００７０】
請求項２記載の発明によれば、複数個の可搬型調光器を、前記入力端子と前記スルー端子を用いて同じ調光制御信号ラインに直列的に接続することにより、多数の照明器具をそれぞれ調光制御する調光器の数を大幅に増やすことが可能である一方、可搬型調光器を構成する各調光器自体からの手元調光操作も可能となり、あらゆる種類の演出に対応した照明効果を出すことができると共に、操作性を向上させることができる。
【００７１】
請求項３記載の発明によれば、調光制御信号の伝送については、舞台或いはスタジオ内に漏洩ケーブルを配設し、調光制御信号を電波状態で放出することが可能なようにしたので、舞台やスタジオ内で吊り物等の障害物の影響を受けにくく、確実なワイヤレス伝送を行うことができる調光システムを実現することができる。信号コンセントが不要となる分、舞台或いはスタジオ内への信号ケーブルの引き込みが容易となり、また可搬型調光器のセッティング時間が短縮できる。電源コンセントに直接接続する照明器具は、調光器盤の調光器によって調光制御が可能であることに加え、可搬型調光器を電源コンセントに接続するとともに、調光器盤の調光器の調光制御を敢えて行なわせないようにすることによって調光制御可能である可搬型調光器に配設された照明器具を、アンテナで受信した調光制御信号によって遠隔から調光制御可能としたものである。調光制御できる照明器具の数を容易に増加させることができる。
【図面の簡単な説明】
【図１】本発明の一実施の形態の照明システムを示す図。
【図２】図１における可搬型調光器を示す図。
【図３】図１の照明システムにおける可搬型調光器及び照明器具の接続方法を説明す図。
【図４】図１の照明システムにおける可搬型調光器及び照明器具の接続方法を説明す図。
【図５】図１の照明システムにおける可搬型調光器及び照明器具の接続方法を説明す図。
【図６】図１の照明システムにおける照明器具の接続方法を説明す図。
【図７】図１の照明システムにおける可搬型調光器及び照明器具の接続方法を説明す図。
【図８】本発明の照明システムを用いた大ホールにおける、調光制御信号の信号ライン系統の一例を示す系統図。
【図９】本発明の他の実施の形態の照明システムを示す図。
【符号の説明】
１１…給電手段
１２…調光器盤
１２ａ〜１２ｔ…調光器
１３…調光操作卓
２１，２３，２５，２７…電源コンセント
２２，２４，２６，２８…信号コンセント
３０，５０，６０…可搬型調光器
３１〜３３…調光器
５１〜５３…調光器
６１〜６３…調光器
３４，５４，６４…電源入力プラグ
３５，５５，６５…信号入力プラグ
４１〜４９…照明器具（照明負荷）
７１〜７４…照明器具
７１ａ〜７４ａ…電源入力プラグ
８０，９０…ワイヤレスの可搬型調光器
８１〜８３…調光器
８４，９４…電源入力プラグ
８５，９５…アンテナ
９１〜９３…調光器
１３１…信号ライン
１５０…漏洩ケーブル
【図１】
0003985292.tif 000002
【図２】
0003985292.tif 000003
【図３】
0003985292.tif 000004
【図４】
0003985292.tif 000005
【図５】
0003985292.tif 000006
【図６】
0003985292.tif 000007
【図７】
0003985292.tif 000008
【図８】
0003985292.tif 000009
【図９】
0003985292.tif 000010